(57)【要約】【課題】表示装置およびサーバ装置を有する表示システムにおいて、広域通信媒体を利用して安定した表示データの転送を行うこと。【解決手段】この端末装置は、蓄積された画像データを広域の通信媒体を介して表示装置へ送信するサーバ装置と通信を行うための第１の通信手段と、表示装置と通信を行うための第２の通信手段と、サーバ装置と表示装置間の通信品質が所定の基準以下になったことを示す回線情報を第１の通信手段を通じて受信すると、サーバ装置から画像データを第１の通信手段を通じて受信し、第２の通信手段によって表示装置へ転送する。【選択図】図１
2006080922.tif 000002
【特許請求の範囲】
【請求項１】
画像データを蓄積するサーバ装置と該サーバ装置から所定の通信媒体を介して送信された画像データを表示する表示装置からなる表示システムを制御するための端末装置であって、
前記サーバ装置と第１の通信媒体を介して通信可能な第１の通信手段と、
前記表示装置と第２の通信媒体を介して通信可能な、前記表示装置を制御するための第２の通信手段と、
前記所定の通信媒体の通信品質が、前記画像データの伝送に支障を来たす通信品質であることを示す情報を前記サーバ装置から受信した場合に、前記表示装置に表示すべき前記サーバ装置に蓄積された画像データを前記第１の通信手段を介して受信し、前記第２の通信手段を介して前記表示装置へ転送する転送手段と
を具備したことを特徴とする端末装置。
【請求項２】
前記第１の通信媒体は、前記所定の通信媒体よりも低速で安定した通信品質を有する通信媒体であることを特徴とする請求項１に記載の端末装置。
【請求項３】
画像データを蓄積するサーバ装置と、該サーバ装置から所定の通信媒体を介して送信された画像データを表示する表示装置と、前記表示装置を制御するための端末装置からなる表示システムにおいて、
前記サーバ装置は、
前記所定の通信媒体の通信品質が、表示すべき画像データの伝送に支障を来たすことを検出した場合に、この旨を前記端末装置に対して通知する通知手段を備え、
前記端末装置は、
前記サーバ装置と第１の通信媒体を介して通信可能な第１の通信手段と、
前記表示装置と第２の通信媒体を介して通信可能な、前記表示装置を制御するための第２の通信手段と、
前記通知手段から前記通知を受信した場合に、前記表示装置に表示すべき前記サーバ装置に蓄積された画像データを前記第１の通信手段を介して受信し、前記第２の通信手段を介して前記表示装置へ転送する転送手段と
を備えたことを特徴とする表示システム。
【請求項４】
前記サーバ装置は、前記蓄積されたある画像データを前記所定の通信媒体で伝送できるように所定の規則に従って分割し、分割した一方のデータを前記所定の通信媒体を介して前記表示装置へ送信するとともに、他方のデータを前記第１の通信媒体を介して前記端末装置へ送信する送出制御手段をさらに備え、
前記表示装置は、前記一方のデータと前記端末装置の前記転送手段によって転送された前記他方のデータとを所定の規則に従って合成する画像合成手段をさらに備えて、前記画像合成手段が合成した画像データを表示することを特徴とする請求項３に記載の表示システム。
【請求項５】
前記送出制御手段は、前記蓄積されたある画像データを前記所定の通信媒体で伝送できるように所定の規則に従って圧縮した圧縮データを生成するとともに、圧縮前の前記画像データと前記圧縮データとの差分データを生成するデータ処理部をさらに備えて、前記圧縮データを前記所定の通信媒体を介して前記表示装置へ送信するとともに、前記差分データを前記第１の通信媒体を介して前記端末装置の前記転送手段によって転送し、
前記画像合成手段は、前記圧縮データと前記差分データとから元の画像データを復元して表示する画像復元手段をさらに備え、
前記表示装置は、前記画像復元手段が復元した画像データを表示すること
を特徴とする請求項４の記載の表示システム。
【請求項６】
画像データを蓄積するサーバ装置と、該サーバ装置から第１の通信媒体を介して送信された画像データを表示する表示装置と、前記表示装置を制御するための端末装置からなる表示システムにおける、前記画像データを前記サーバ装置から前記表示装置へ転送する表示データ転送方法であって、
前記サーバ装置において、前記サーバ装置と前記表示装置間で通信を行う第１の通信媒体における通信品質が、表示すべき画像データの伝送に支障を来たすことを検出するステップと、
前記端末装置が、前記検出するステップで支障を来たすと検出されたことを第２の通信媒体を介して前記サーバ装置から取得するステップと、
前記端末装置が、前記取得するステップで支障をきたすことが検出されたことを取得した場合に、前記サーバ装置に、前記表示装置に表示すべき前記サーバ装置に格納された画像データを前記第２の通信媒体を介して前記端末装置へ送信させるステップと、
前記端末装置が、前記第２の通信媒体を介して受信した画像データを第３の通信媒体を介して前記表示装置へ送信するステップと
を有することを特徴とする表示データ転送方法。
【請求項７】
蓄積された画像データを、所定の通信媒体を介して表示装置へ送信するサーバ装置と第１の通信媒体を介して通信するための第１の通信手段と、
前記表示装置と第２の通信媒体を介して通信するための第２の通信手段と、
前記所定の通信媒体の通信品質が、前記画像データの伝送に支障を来たす通信品質であることを示す情報を前記サーバ装置から受信した場合に、前記表示装置に表示すべき前記サーバ装置に蓄積された画像データを前記第１の通信手段を介して受信し、前記第２の通信手段を介して前記表示装置へ転送する転送手段と
を具備する端末装置としてコンピュータを機能させることを特徴とするプログラム。
【請求項８】
画像データを蓄積するサーバ装置と該サーバ装置から所定の通信媒体を介して送信された画像データを表示する表示装置からなる表示システムを制御する端末装置における、コンピュータで実行可能なプログラムあって、
前記所定の通信媒体の通信品質が、前記画像データの伝送に支障を来たす通信品質であることを示す情報を前記サーバ装置から受信するステップと、
前記受信するステップで前記情報を受信した場合に、前記サーバ装置に、前記表示装置に表示すべき前記サーバ装置に格納された画像データを、前記サーバ装置との間に設けた第１の通信媒体を介して前記端末装置に送信させるステップと
受信した前記画像データを、前記表示装置との間に設けた第２の通信媒体を介して前記表示装置へ転送するステップと
を有することを特徴とするプログラム。
【発明の詳細な説明】
【技術分野】
【０００１】
本発明は、例えばプロジェクタなど画像データを表示する表示装置を遠隔的に制御するための端末装置、その端末装置および表示装置などからなる表示システム、表示データ転送方法、およびプログラムに関する。
【背景技術】
【０００２】
近年、パーソナルコンピュータ（パソコン）やプロジェクタの普及に伴い、パソコンの表示画面を拡大投影した発表資料を多人数に提示するプレゼンテーション形態が一般的になってきている。また、パソコンの小型化により、発表資料データを格納したノート型パソコンをプレゼンテーション実施場所まで運んでゆき、当該実施場所に備えられたプロジェクタとＲＧＢケーブル、IEEE 802.11b規格などのいわゆる無線ＬＡＮ、Bluetooth（登録商標）システムなどを利用して接続することが広く行われている。
【０００３】
ところで、発表資料として表示するデータサイズが大きい場合や、遠隔地のプレゼンテーション実施場所に赴いて発表資料を提示する場合、パソコンを持ち込んでプロジェクタ近傍に設置することが困難な場合がある。そこで、発表資料の表示データを予めサーバコンピュータに保管しておき、投影に遅延が生じない程度の高速な伝送媒体を介してプレゼンテーション実施場所に備えられたプロジェクタに当該データをダウンロードして拡大投影する、いわゆるプロジェクタシステム（表示システム）が提案されている（例えば特許文献１）。
【０００４】
特許文献１に記載された表示システムによれば、プロジェクタと、ネットワークモジュールを介して接続された投射データの格納サーバとを備えるので、プロジェクタと格納サーバとの間で投射データの送受が行われる。これにより、プレゼンテーション実施場所に発表資料データや当該データを格納したパソコンを持ち込まなくても、発表資料の拡大投影を実現することができる。
【０００５】
しかし、比較的高速であるが、誰でも安易に利用できるインターネットなど外部のネットワークを経由してサーバコンピュータを接続する場合、内部のネットワークを第三者から守るというセキュリティ確保を目的としてファイアーウォールを設置する。このような場合、プロジェクタ本体からファイアーウォールを越えて投射データを格納したサーバコンピュータにデータ転送指示を送信するためには、予めファイアーウォールの外部に設置されたサーバコンピュータとプロジェクタ本体が互いに通信できることが必要である。だが、昨今高度化するハッキング行為を防止するためのファイアーウォールであるから、プレゼンテーションをするという目的のためだけに外部に設置されたコンピュータとの間で安易にデータの通過を許すことは考え難い。通常の対応を考える限り外部のサーバコンピュータとのデータ転送は許されておらず、現実にはネットワークの外部のコンピュータに投影データを置くことができないという問題があった。
【０００６】
また、ネットワークとしてインターネットなどの広帯域ネットワークが利用できた場合であっても、必ずしも通信品質が保証されているわけではないので通過する経路によっては通信品質が安定しないという問題があった。サーバコンピュータからプロジェクタにデータを転送している最中にネットワーク接続が不安定になると、データ転送がうまく行われず、プレゼンテーションに支障をきたすこととなる。
【特許文献１】特開２００３−１９８８７０
【発明の開示】
【発明が解決しようとする課題】
【０００７】
このように、従来の表示システムでは、プロジェクタ本体からデータを格納した外部のネットワークを経由するサーバコンピュータに対して、ファイアーウォール越しにアクセスすることがセキュリティ上困難な場合があるという問題がある。また、従来の表示システムで利用する投影画像の伝送に遅延を生じない程度の比較的高速な広域をカバーする通信媒体は他の影響を受けやすく、データを転送するネットワークの通信速度変動や切断等といった通信品質が不安定になりやすいという問題がある。
【０００８】
本発明はこのような課題を解決するためになされたもので、本来投影データを転送する目的で用いようとしている比較的高速な第三者が利用可能な広域通信媒体の状況に応じて、この通信媒体とは別の通信媒体を利用して転送することにより、自動的にセキュリティ上の問題を回避し、またデータ転送の通信品質が不安定であってもプレゼンテーションを継続することのできる端末装置、表示システム、表示データ転送方法およびプログラムを提供することを目的としている。
【課題を解決するための手段】
【０００９】
上記した目的を達成するために、第１の発明の端末装置は、画像データを蓄積するサーバ装置と該サーバ装置から所定の通信媒体を介して送信された画像データを表示する表示装置からなる表示システムを制御するための端末装置であって、サーバ装置と第１の通信媒体を介して通信可能な第１の通信手段と、表示装置と第２の通信媒体を介して通信可能な、表示装置を制御するための第２の通信手段と、所定の通信媒体の通信品質が、画像データの伝送に支障を来たす通信品質であることを示す情報をサーバ装置から受信した場合に、表示装置に表示すべきサーバ装置に蓄積された画像データを第１の通信手段を介して受信し、第２の通信手段を介して表示装置へ転送する転送手段とを具備している。
【００１０】
第２の発明の端末装置は、第１の発明の端末装置において、第１の通信媒体が、所定の通信媒体よりも低速で安定した通信品質を有する通信媒体であることを特徴としている。
【００１１】
第３の発明の表示システムは、画像データを蓄積するサーバ装置と、該サーバ装置から所定の通信媒体を介して送信された画像データを表示する表示装置と、表示装置を制御するための端末装置からなる表示システムにおいて、サーバ装置は、所定の通信媒体の通信品質が、表示すべき画像データの伝送に支障を来たすことを検出した場合に、この旨を端末装置に対して通知する通知手段を備え、端末装置は、サーバ装置と第１の通信媒体を介して通信可能な第１の通信手段と、表示装置と第２の通信媒体を介して通信可能な、表示装置を制御するための第２の通信手段と、通知手段から通知を受信した場合に、表示装置に表示すべきサーバ装置に蓄積された画像データを第１の通信手段を介して受信し、第２の通信手段を介して表示装置へ転送する転送手段とを備えたことを特徴としている。
【００１２】
第４の発明の表示システムは、第３の発明の表示システムにおいて、サーバ装置は、蓄積されたある画像データを所定の通信媒体で伝送できるように所定の規則に従って分割し、分割した一方のデータを所定の通信媒体を介して表示装置へ送信するとともに、他方のデータを第１の通信媒体を介して端末装置へ送信する送出制御手段をさらに備え、表示装置は、一方のデータと端末装置の転送手段によって転送された他方のデータとを所定の規則に従って合成する画像合成手段をさらに備えて、画像合成手段が合成した画像データを表示することを特徴としている。
【００１３】
第５の発明の表示システムは、第４の発明の表示システムにおいて、送出制御手段は、蓄積されたある画像データを所定の通信媒体で伝送できるように所定の規則に従って圧縮した圧縮データを生成するとともに、圧縮前の画像データと圧縮データとの差分データを生成するデータ処理部をさらに備えて、圧縮データを所定の通信媒体を介して表示装置へ送信するとともに、差分データを第１の通信媒体を介して端末装置の転送手段によって転送し、画像合成手段は、圧縮データと差分データとから元の画像データを復元して表示する画像復元手段をさらに備え、表示装置は、画像復元手段が復元した画像データを表示することを特徴としている。
【００１４】
第６の発明の表示データ転送方法は、画像データを蓄積するサーバ装置と、該サーバ装置から第１の通信媒体を介して送信された画像データを表示する表示装置と、表示装置を制御するための端末装置からなる表示システムにおける、画像データをサーバ装置から表示装置へ転送する表示データ転送方法であって、サーバ装置において、サーバ装置と表示装置間で通信を行う第１の通信媒体における通信品質が、表示すべき画像データの伝送に支障を来たすことを検出するステップと、端末装置が、検出するステップで支障を来たすと検出されたことを第２の通信媒体を介してサーバ装置から取得するステップと、端末装置が、取得するステップで支障をきたすことが検出されたことを取得した場合に、サーバ装置に、表示装置に表示すべきサーバ装置に格納された画像データを第２の通信媒体を介して端末装置へ送信させるステップと、端末装置が、第２の通信媒体を介して受信した画像データを第３の通信媒体を介して表示装置へ送信するステップとを有している。
【００１５】
第７の発明のプログラムは、蓄積された画像データを、所定の通信媒体を介して表示装置へ送信するサーバ装置と第１の通信媒体を介して通信するための第１の通信手段と、表示装置と第２の通信媒体を介して通信するための第２の通信手段と、所定の通信媒体の通信品質が、画像データの伝送に支障を来たす通信品質であることを示す情報をサーバ装置から受信した場合に、表示装置に表示すべきサーバ装置に蓄積された画像データを第１の通信手段を介して受信し、第２の通信手段を介して表示装置へ転送する転送手段とを具備する端末装置としてコンピュータを機能させることを特徴としている。
第８の発明のプログラムは、画像データを蓄積するサーバ装置と該サーバ装置から所定の通信媒体を介して送信された画像データを表示する表示装置からなる表示システムを制御する端末装置における、コンピュータで実行可能なプログラムあって、所定の通信媒体の通信品質が、画像データの伝送に支障を来たす通信品質であることを示す情報をサーバ装置から受信するステップと、受信するステップで情報を受信した場合に、サーバ装置に、表示装置に表示すべきサーバ装置に格納された画像データを、サーバ装置との間に設けた第１の通信媒体を介して端末装置に送信させるステップと、受信した画像データを、表示装置との間に設けた第２の通信媒体を介して表示装置へ転送するステップとを有している。
【発明の効果】
【００１６】
本発明によれば、表示装置に表示すべき投影データを外部のネットワークを経由するような遠隔地に設置されたコンピュータにすべて保管することができる。さらに、本発明によれば、インターネットのような通信品質が保証されない広域通信回線を介して投影データを表示装置に転送する場合でも、安定したプレゼンテーションを実現することができる。
【発明を実施するための最良の形態】
【００１７】
以下、本発明の一実施形態を図面を参照して詳細に説明する。
図１は、本発明の第１の実施形態に係る表示システムの全体構成を示す図である。図１に示すように、この実施形態に係る表示システム１は、表示装置２と、表示装置２とデータ回線５を介して接続されたサーバ装置３と、サーバ装置３と指令回線６ａ、６ｂ、６ｃを介して接続された端末装置４とを有している。端末装置４は、制御回線７により表示装置２とも接続されている。
【００１８】
表示装置２は、コンピュータなどに格納され出力される表示データを、スクリーンや大画面ディスプレイなどに投射する、例えばプロジェクタである。表示装置２は、表示データを格納するコンピュータを接続する接続端子に加えて、データ回線５の接続端子を有している。そして、データ回線５を介して表示データを格納したコンピュータと接続することで、投射対象となる表示データを直接ダウンロードして表示することができる。すなわち、表示装置２は、データ回線５を介してサーバ装置３から表示データを受信し、当該表示データをスクリーンに投射し、または大画面表示制御を行う機能を有する。
【００１９】
データ回線５は、例えばインターネットなど通信媒体としてのネットワーク回線である。データ回線５は、表示データとしての画像データや映像データなど比較的大きなサイズのデータ伝送を、データ投影に遅延が生じない程度に高速に行うことのできる広域回線、広帯域回線であり、例えばパケット単位の伝送を行うパケット交換網などを用いることができる。
【００２０】
サーバ装置３は、表示装置２が投射を行う表示データを格納し出力するコンピュータであり、例えばサーバコンピュータである。サーバ装置３は、データ回線５を接続する接続端子を有しており、表示データを格納するとともに格納した表示データをデータ回線５を通じて表示装置２に向けて送信する機能を有する。また、サーバ装置３は、データ回線５に加えて指令回線６ｃを接続する接続端子を有しており、指令回線６ｃを介して外部と通信する機能をも有している。
【００２１】
端末装置４は、例えばＰＤＡ（Personal Digital Assistance）などの携帯型情報端末であり、指令回線６ａを接続する接続端子と、制御回線７を構成するための無線ユニットとを有している。端末装置４は、指令回線６ａないし６ｃを介してサーバ装置３を遠隔的に制御する機能と、制御回線７を介して表示装置２を遠隔的に制御する機能とを併せ持っている。具体的には、端末装置４は、制御回線７を介して表示装置２の電源投入や表示開始などの諸動作を制御する。また、端末装置４は、指令回線６ａないし６ｃを介してサーバ装置３の動作、例えば表示データ送信などの動作を制御する。
【００２２】
指令回線６ａないし６ｃは、データ回線５と比較して狭帯域であるがデータ回線５よりも回線品質の安定した通信媒体としての通信回線であり、例えば公衆電話回線などである。図１では、指令回線６ａは携帯電話などの無線回線、指令回線６ｃは公衆電話回線の例を示している。すなわち、図１に示す端末装置４は、無線系の指令回線６ａ、無線基地局６ｄ、指令回線６ｂ、回線交換局６ｅ、指令回線６ｂ、回線収容局６ｆおよび有線の指令回線６ｃからなる指令回線を介してサーバ装置３と接続されている。なお、指令回線６ａないし６ｃは、図１に示す形態の回線に限られるものではない。すなわち、回線帯域が比較的狭く安定した品質が一体的に提供される通信回線であればよく、公衆電話回線、携帯電話回線、ＰＨＳ回線、無線ターミナル回線など様々な回線を適用することができる。
【００２３】
制御回線７は、比較的近距離を直接結ぶ通信媒体としての通信回線であり、例えば無線ＬＡＮシステム、Bluetooth（登録商標）システム、赤外線システムなどにより実現される通信回線である。制御回線７は、端末装置４から表示装置２に制御信号を伝送するものであるから、必ずしも無線回線である必要はない。すなわち、表示装置２と端末装置４とを直接ケーブルで接続する構成を採ってもよい。
【００２４】
このように、この実施形態に係る表示システム１では、表示装置２が表示を行う表示データを、データ回線５を介して接続されたサーバ装置３に格納しておくことができる。また、この実施形態に係る表示システム１では、端末装置４により指令回線６ａないし６ｃを介してサーバ装置３を遠隔的に制御することができる。従って、プレゼンテーション実施者は端末装置４を操作するだけで表示装置２による表示データの投射を行うことが可能になり、表示データやパソコンを持ち運ぶ必要がなくなる。
【００２５】
さらに、端末装置４によるサーバ装置３の遠隔制御は、表示データを伝送するデータ回線５ではなく、指令回線６ａないし６ｃを介して行うので、サーバ装置３とデータ回線５の接続点にファイアーウォールが設けられていても、事前準備を要することなく遠隔制御を実現することができる。また、この実施形態に係る表示システムでは、端末装置４と表示装置２とを制御回線７で接続するので、小型の端末装置４により表示装置２の制御を遠隔的に行うことができる。
【００２６】
加えて、表示データを伝送するデータ回線５がデータ転送に適さなくなったとき、例えば回線品質が悪化して表示すべき画像データの伝送に支障を来たすようなとき、サーバ装置３は、指令回線６ａないし６ｃおよび制御回線７を介して表示データを表示装置２へ転送する。従って、データ回線５に障害が発生した場合でも安定して表示データの転送を行うことができる。
【００２７】
次に、図２を参照してこの実施形態に係る表示システムの機能構成について詳細に説明する。図２は、本実施形態に係る表示システム１の機能構成を示す図である。
まず表示装置２の機能構成について説明する。図２に示すように、この実施形態における表示装置２は、データ通信部１１、制御通信部１２、経路制御部１３、データ処理部１４およびデータ表示部１５を備えている。
【００２８】
データ通信部１１は、データ回線５および経路制御部１３と接続されており、表示データの受信を行う通信インタフェースである。データ通信部１１は、データ回線５の回線の種類に応じてインタフェースの種類が選択される。例えば、データ回線５がインターネットなどのＴＣＰ／ＩＰプロトコルによるパケット回線であれば、データ通信部１１はそれに対応してＴＣＰ／ＩＰプロトコルに準拠した通信インタフェースとなる。データ通信部１１は、データ回線５から受信した表示データを経路制御部１３に渡す機能を有する。
【００２９】
制御通信部１２は、制御回線７および経路制御部１３と接続されており、端末装置４との間で表示装置２に対する制御信号を送受信する通信インタフェースである。制御通信部１２は、制御回線７の回線の種類に応じてインタフェースの種類が選択される。例えば、制御回線７が無線回線（電波回線）であれば無線ＬＡＮの通信インタフェースやBluetoothシステムの通信インタフェースが採用され、制御回線７が赤外線回線であれば赤外線通信インタフェースが採用される。制御通信部１２は、端末装置４との制御信号の送受信する機能に加えて、端末装置４を経由して転送される表示データを受信する機能をも併せ持っている。この場合、制御通信部１２は、端末装置４から表示データを受信すると、当該表示データを経路制御部１３に渡す。
【００３０】
経路制御部１３は、データ通信部１１、制御通信部１２およびデータ処理部１４と接続され、データ通信部１１または制御通信部１２のいずれかから渡される表示データをデータ処理部１４に渡す回線切替器である。この実施形態の表示システムでは、定常状態においてはデータ回線５を介して表示データの伝送が行われる。しかし、データ回線５の品質悪化など一定の条件下においては、指令回線６、端末装置４および制御回線７を介して表示データの転送が行われる。経路制御部１３は、表示データが送られてくる回線をデータ回線５および制御回線７のいずれかから選択し、データ回線５が選択されればデータ通信部１１、制御回線７が選択されれば制御通信部１２から渡される表示データをデータ処理部１４に渡す機能を有する。
【００３１】
データ処理部１４は、経路制御部１３およびデータ表示部１５と接続され、経路制御部１３から渡された表示データをプロジェクタとして表示可能な形式に変換する復調器・復号器である。データ回線５などを伝送される表示データは、伝送に適した形式に変調されまたは符号化されている。データ処理部１４は、かかる表示データを元の表示データに再変換する作用をする。データ処理部１４の再変換方式は、表示データを送出するサーバ装置３において変調・符号化する方式と対応させる。
【００３２】
データ表示部１５は、データ処理部１４と接続され、データ処理部１４により再変換された表示データをスクリーン等に投影する投影機である。データ表示部１５は、表示データを拡大投影する方式に合わせて選択される。例えば、拡大投影の方式がスクリーン投影であれば投影装置、同じく大画面ディスプレイ表示であればディスプレイ表示装置などが採用される。
【００３３】
続いて、サーバ装置３の機能構成について説明する。図２に示すように、この実施形態におけるサーバ装置３は、データ記憶部２１、データ処理部２２、送出制御部２３、指令通信部２４、データ通信部２５および通信路検査部２６を備えている。なお、図３においては、図１に示す指令回線６ａないし６ｃを指令回線６として表している。
【００３４】
データ記憶部２１は、表示装置２が投影する表示データを格納する記憶装置であり、例えばハードディスク、不揮発性メモリ、光ディスクなどの記憶媒体および記憶装置などである。データ記憶部２１は、表示データのみを格納するものであってもよいし、サーバ装置３を機能させるコンピュータプログラムをも格納するものであってもよい。
【００３５】
データ処理部２２は、データ記憶部２１および送出制御部２３と接続されており、データ記憶部２１に格納された投影対象の表示データを読み出すとともに、通信回線を伝送するための変換を行う変調器・符号化器である。データ処理部２２の変換方式は、表示装置２におけるデータ処理部１４と対応する方式が採用される。
【００３６】
送出制御部２３は、データ処理部２２、指令通信部２４、データ通信部２５および通信路検査部２６と接続されており、データ処理部２２により変換された表示データを送出する経路を選択する回線切替器である。この実施形態の表示システムでは、前述の通り定常状態においてはデータ回線５を介して表示データの伝送が行われる。しかし、データ回線５の品質悪化など一定の条件下においては、指令回線６、端末装置４および制御回線７を介して表示データの転送が行われる。送出制御部２３は、後述する通信路検査部２６から通知されるデータ回線５の通信状態や端末装置４からの指示に基づいて表示データを伝送する回線を選択し、対応する指令通信部２４またはデータ通信部２５に表示データを渡して送信させる機能を有する。
【００３７】
指令通信部２４は、指令回線６および送出制御部２３と接続されており、端末装置４から送られるサーバ装置３に対する指令信号を送受信する通信インタフェースである。指令通信部２４は、指令回線６の回線の種類に応じてインタフェースの種類が選択される。例えば、指令回線６が公衆電話回線であればモデム装置、ＩＳＤＮ回線であればターミナルアダプタ・ＤＳＵ装置などとなる。指令通信部２４は、指令回線６を介して送られる指令信号を送出制御部２３に渡す機能を有する。加えて、送出制御部２３が表示データを伝送する回線として指令回線６を選択した場合は、表示データを指令回線６へ送出する機能をも有している。
【００３８】
データ通信部２５は、データ回線５、送出制御部２３および通信路検査部２６と接続されており、送出制御部２３から送られる表示データを送出するための通信インタフェースである。データ通信部２５は、表示装置２のデータ通信部１１と対応し、同じ種類のインタフェースが採用される。データ通信部２５は、送出制御部２３から渡される表示データをデータ回線５を介して表示装置２に送信する機能を有する。併せて、データ回線５における通信状態を通信路検査部２６に通知する機能を有する。
【００３９】
通信路検査部２６は、データ回線５の通信品質を検査する回線監視器である。例えば、データ回線５が混雑することにより伝送速度が低下したり、表示装置２との接続が切断されたりした場合、通信路検査部２６は、データ回線５の通信品質低下や切断などの状態を検出して送出制御部２３に回線情報として通知する機能を有する。
【００４０】
続いて、端末装置４の機能構成について説明する。図２に示すように、この実施形態における端末装置４は、入力部３１、指令制御部３２、指令通信部３３、表示制御部３４、制御通信部３５および転送制御部３６を備えている。
【００４１】
入力部３１は、端末装置４においてユーザの指示やデータの入力を行う入力インタフェースである。入力部３１としては、例えばタッチパネルやキーボード、スイッチなどを用いることができる。入力部３１で入力されたユーザの指示やデータは、入力部３１に接続された指令制御部３２、表示制御部３４および転送制御部３６に渡される。
【００４２】
指令制御部３２は、入力部３１、表示制御部３４、転送制御部３６および指令通信部３３と接続されており、指令回線６を介してサーバ装置３の制御、例えば表示データの送信などを行う制御装置である。指令制御部３２は、入力部３１から渡されるサーバ装置３の制御指令に対応して制御指令信号を生成し、指令通信部３３に渡す機能を有する。また、転送制御部３６からの転送指示に基づいて、指令通信部３３から渡される表示データを表示制御部３４に渡す機能を有する。
【００４３】
指令通信部３３は、指令制御部３２および指令回線６と接続されており、指令制御部３２から渡されるサーバ装置３に対する制御指令信号を指令回線６に送出する通信インタフェースである。指令通信部３３は、サーバ装置３の指令通信部２４と対応し、同じ種類のインタフェースが選択される。指令通信部３３は、指令制御部３２から渡される制御指令信号を指令回線６を介してサーバ装置３に送信する機能を有する。また、端末装置４が表示データを転送する場合には、指令通信部３３は、指令回線６を介して送られる表示データを受信して指令制御部３２に渡す機能をも併せ持っている。
【００４４】
表示制御部３４は、入力部３１、指令制御部３２、転送制御部３６および制御通信部３５と接続されており、制御回線７を介して表示装置２の制御、例えば表示動作などを行う制御装置である。表示制御部３４は、入力部３１から渡される表示装置２の制御指示に対応して制御指示信号を生成し、制御通信部３５に渡す機能を有する。また、転送制御部３６からの転送指示に基づいて、指令制御部３２から渡される表示データを制御通信部３５に渡す機能を有する。
【００４５】
制御通信部３５は、表示制御部３４および制御回線７と接続されており、表示制御部３４から渡される表示装置２の制御指示信号を制御回線７に送出する通信インタフェースである。制御通信部３５は、表示装置２の制御通信部１２と対応し、同じ種類のインタフェースが選択される。制御通信部３５は、表示制御部３４から渡される制御指示信号を制御回線７を介して表示装置２に送信する機能を有する。また、端末装置４が表示データを転送する場合には、制御通信部３５は、表示制御部３４から渡される表示データを制御回線７を介して表示装置２に送信する機能をも併せ持っている。
【００４６】
転送制御部３６は、入力部３１、指令制御部３２および表示制御部３４と接続されており、表示データの伝送回線として指令回線６および制御回線７が選択された場合に、表示データの中継を制御する制御装置である。転送制御部３６は、サーバ装置３からデータ回線５の回線状況を示す回線情報を受信するとともに、回線情報に基づいて表示データの送信回線がデータ回線５から指令回線６に変更されると、指令制御部３２および表示制御部３４に対し表示データの転送を指示する機能を有する。
【００４７】
次に、図１および図３を参照して、本実施形態に係る表示システムの全体動作について詳細に説明する。図３は、本実施形態に係る表示システムの全体動作を示す図である。図３において、矢印はデータの流れを表している。
【００４８】
ユーザから表示データ投影の指示を受けると、端末装置４は、表示装置２の電源投入および投影準備などの表示要求指示を、制御回線７を介して表示装置２に送信する（図３中「１０１」。以下単に「１０１」のように称する。）。
表示要求指示を受けると、表示装置２は、表示データ受信準備を行い、制御回線７を介して準備完了を端末装置４に返す（１０２）。このとき「受信完了」情報には、サーバ装置３から表示データを伝送する場合に用いられる、データ回線５における表示装置２のアドレス（ネットワークアドレス、ＩＰアドレス）を含んでもよい。
【００４９】
準備完了の回答を受けると、端末装置４は、指令回線６ａないし６ｃ（以下「指令回線６」と称する。）を介してサーバ装置３に表示データの送出を指令する（１０３）。この送出指令には、表示装置２のアドレスを含めてもよい。
表示データの送出指令を受けると、サーバ装置３は、データ回線５の回線状況を検査し、回線情報として指令回線６を介して端末装置４に通知する（１０４）。
【００５０】
通知を受けた端末装置４は、回線情報の内容がデータ回線５の回線状況が良好であることを示す場合には、データ回線５からの表示データ受信を準備するよう制御回線７を介して表示装置２に通知する（１０５）。
通知を受けた表示装置２は、データ回線５からの表示データ受信を準備し、制御回線７を介して端末装置４に準備完了を通知する（１０６）。
【００５１】
準備完了の通知を受けると、端末装置４は、サーバ装置３に対しデータ回線５を介して表示データを送信するよう指令回線６を介して送信指令を送信する（１０７）。
送信指令を受けると、サーバ装置３は、データ回線５を介して所定の表示データを表示装置２に送信する（１０８）。表示装置２は、受信した表示データをスクリーン等に投影する。
【００５２】
ここで、データ回線５の品質が悪化した場合、例えば回線品質が所定品質以下に低下し、あるいは接続不良に陥った場合を仮定する。サーバ装置３は、データ回線５の回線状況を常に監視しており、指令回線６を介して回線情報を端末装置４に通知している（１０９）。
【００５３】
回線情報の内容がデータ回線５の回線状況が不良または悪化したことを示す場合には、端末装置４は、制御回線７を通じて、表示データを伝送する回線を制御回線７に変更する変更指示を表示装置２に送信する（１１０）。
回線の変更指示を受けると、表示装置２は、データ回線５に代えて制御回線７からの表示データ受信の準備を行い、制御回線７を通じて端末装置４に準備完了を通知する（１１１）。
【００５４】
通知を受けると、端末装置４は、端末装置４自体のデータ転送準備を行い、指令回線６を介してサーバ装置３に対し指令回線６を介した表示データの送出指令を送信する（１１２）。
送出指令を受けると、サーバ装置３は、表示データを指令回線６を介して端末装置４に送信する（１１３）。
【００５５】
表示データを受信すると、端末装置４は、制御回線７を通じて表示装置２に表示データを転送する（１１４）。表示装置２は、受信した表示データをスクリーン等に投影する。
【００５６】
続いて、データ回線５の品質が再び正常化した場合を仮定する。サーバ装置３は、前述したとおり、データ回線５の回線状況を監視しており、指令回線６を介して回線情報を端末装置４に通知している（１１５）。
【００５７】
回線情報の内容がデータ回線５の回線状況が正常化したことを示す場合には、端末装置４は、制御回線７を通じて、表示データを伝送する回線をデータ回線５に復帰させる復帰指示を表示装置２に送信する（１１６）。
回線の復帰指示を受けると、表示装置２は、制御回線７に代えてデータ回線５からの表示データ受信の準備を行い、制御回線７を通じて端末装置４に準備完了を通知する（１１７）。
【００５８】
通知を受けると、端末装置４は、端末装置４自体のデータ転送を中止し、指令回線６を介してサーバ装置３に対しデータ回線５を介した表示データの送出指令を送信する（１１８）。
送出指令を受けると、サーバ装置３は、表示データをデータ回線５を介して表示装置２に送信する（１１９）。表示装置２は、受信した表示データをスクリーン等に投影する。
【００５９】
このように、この実施形態に係る表示システムによれば、表示データを転送する回線に障害が生じた場合、サーバ装置３を制御する指令回線６および表示装置２を制御する制御回線７を通じてデータ転送を行うので、安定したデータ伝送を行うことができる。
【００６０】
なお、ここではサーバ装置３がデータ回線５を検査して回線情報を端末装置４に通知し、端末装置４が回線情報の内容からデータ回線５の回線状況の良否を判断して表示データを伝送する回線を選択しているが、これには限定されない。例えば、サーバ装置３がデータ回線５を検査した結果に基づいて自ら表示データの伝送回線を決定し、伝送回線としてデータ回線５または指令回線６の少なくとも一方を回線情報として端末装置４に通知するように構成してもよい。この場合、端末装置４は、送られてきた回線情報に基づいて表示装置２に対し受信準備すべき回線を指示することになる。
【００６１】
続いて、図２および図４を参照して、この実施形態に係る表示システム１における端末装置４の動作について詳細に説明する。図４は、本実施形態に係る表示システムにおける端末装置４の動作を示すフローチャートである。
【００６２】
ユーザが入力部３１に対してデータ表示の指示を発すると、入力部３１は、表示制御部３４に対してデータ表示を指示する（ステップＳ２０１。以下単にＳ２０１のように称する。）。
【００６３】
データ表示指示を受けた表示制御部３４は、制御通信部３５および制御回線７を介して表示装置２に対しデータの表示要求を送信する（Ｓ２０２）。表示装置２は、所定の表示準備を行い、制御回線７を通じて準備完了を表示制御部３４に対して通知する。
【００６４】
表示装置２の準備が完了すると、指令制御部３２は、指令通信部３３および指令回線６を介してサーバ装置３に対し表示データの送出指令を送信する（Ｓ２０３）。
【００６５】
送出指令を受けたサーバ装置３は、データ回線５の回線状況を検査して、回線情報を指令回線６および指令通信部３３を通じて転送制御部３６に通知する（Ｓ２０４）。
【００６６】
回線情報の内容が、データ回線５の回線状況が良好であることを示す場合（Ｓ２０５のＹｅｓ）、転送制御部３６は、データ回線５による表示データの伝送を表示制御部３４に指示するとともに、データ回線５による表示データの送信を指令制御部３２に指示する。指示を受けた表示制御部３４は、制御通信部３５および制御回線７を通じて表示装置２に対しデータ回線５による表示データ受信を指示する（Ｓ２０６）。また、指示を受けた指令制御部３２は、指令通信部３３および指令回線６を通じてサーバ装置３に対しデータ回線５による表示データ送信を指令する。
【００６７】
回線情報の内容が、データ回線５の回線状況が不良であることを示す場合（Ｓ２０５のＮｏ）、転送制御部３６は、指令回線６および制御回線７による表示データの転送を表示制御部３４に指示するとともに、表示データの転送準備を指令制御部３２に指示する。指示を受けた表示制御部３４は、制御通信部３５および制御回線７を通じて表示装置２に対し制御回線７による表示データ受信を指示する（Ｓ２０７）。また、表示データ転送準備の指示を受けた指令制御部３２は、表示データ転送を準備して指令通信部３３を通じてサーバ装置３に対し指令回線６を介した表示データ送出を指令する。
【００６８】
サーバ装置３から指令回線６を介して送られた表示データは、指令通信部３３、指令制御部３２、表示制御部３４、制御通信部３５および制御回線７を介して表示装置２に転送される（Ｓ２０８）。
【００６９】
全ての表示データ転送が終了すると（Ｓ２０９のＹｅｓ）、表示データの投影処理は終了する。
【００７０】
表示データの転送が継続中の場合、サーバ装置３はデータ回線５の回線状況を常に監視しており、回線情報を転送制御部３６に通知している（Ｓ２１０）。
【００７１】
回線情報の内容がデータ回線５の回線状況の悪化を示す場合（Ｓ２１１のＮｏ）、転送制御部３６は、指令回線６および制御回線７による表示データの転送を表示制御部３４に指示するとともに、表示データの転送準備を指令制御部３２に指示する。指示を受けた表示制御部３４は、制御通信部３５および制御回線７を通じて表示装置２に対し制御回線７による表示データ受信を指示する（Ｓ２０７）。また、表示データ転送準備の指示を受けた指令制御部３２は、表示データ転送を準備して指令通信部３３を通じてサーバ装置３に対し表示データ送出を指令する。
【００７２】
回線情報の内容がデータ回線５の回線状況の改善を示す場合（Ｓ２１１のＹｅｓ）、転送制御部３６は、データ回線５による表示データの伝送を表示制御部３４に指示するとともに、データ回線５による表示データの送信を指令制御部３２に指示する。指示を受けた表示制御部３４は、制御通信部３５および制御回線７を通じて表示装置２に対しデータ回線５による表示データ受信を指示する（Ｓ２０６）。また、指示を受けた指令制御部３２は、指令通信部３３および指令回線６を通じてサーバ装置３に対しデータ回線５による表示データ送信を指令する。
【００７３】
なお、以上説明した例では、サーバ装置３から送られる回線情報に基づいて転送制御部３６が表示データを伝送回線を選択しているが、これには限定されない。例えば、サーバ装置が端末装置に送る回線情報として、表示データを伝送する回線の情報を含めてもよい。この場合、転送制御部３６は、回線情報の示す回線にて表示データを転送等すればよい。
【００７４】
このように、この実施形態に係る表示システムでは、表示データを伝送するデータ回線の回線状態が悪化した場合に、端末装置がサーバ装置を制御する指令回線および表示装置を制御する制御回線を用いて表示データの転送を行うので、安定した表示データ転送を実現することができる。
【００７５】
次に、図５を参照して、この実施形態に係る表示システム１におけるサーバ装置３の動作について詳細に説明する。図５は、本実施形態に係る表示システム１におけるサーバ装置３の動作を示すフローチャートである。
【００７６】
送出制御部２３は、端末装置４から指令回線６および指令通信部２４を通じて表示データの送出指令を受けると（Ｓ３０１）、通信路検査部２６に対しデータ回線５の回線状況の検査を指示する。
【００７７】
検査指示を受けると、通信路検査部２６は、データ回線５の回線状況を検査してその結果を回線情報として送出制御部２３に渡す（Ｓ３０２）。送出制御部２３は、渡された回線情報を指令通信部２４を通じて端末装置４に通知する。
【００７８】
検査の結果、データ回線５の回線状況が正常であり、端末装置４がデータ回線５による表示データの伝送を指令した場合（Ｓ３０３のＹｅｓ）、送出制御部２３は、表示データの伝送回線としてデータ回線５を選択する（Ｓ３０４）。
【００７９】
伝送する回線が選択されると、データ処理部２２は、データ記憶部２１から表示データを読み出してデータ処理を施す。送出制御部２３は、データ処理が施された表示データをデータ通信部２５に渡す。その結果、表示データはデータ回線５を通じて表示装置２に送信される（Ｓ３０５）。
【００８０】
検査の結果、データ回線５の回線状況が不良であり、端末装置４が指令回線６および制御回線７による表示データの転送を指令した場合（Ｓ３０３のＮｏ）、送出制御部２３は、表示データの伝送回線として指令回線６を選択する（Ｓ３０６）。
【００８１】
伝送する回線が選択されると、データ処理部２２は、データ記憶部２１から表示データを読み出してデータ処理を施す。送出制御部２３は、データ処理が施された表示データを指令通信部２４に渡す。その結果、表示データは指令回線６を通じて送信される（Ｓ３０５）。
【００８２】
表示すべきデータを全て送出すると（Ｓ３０７のＹｅｓ）、処理は終了する。
【００８３】
継続してデータを送出する場合（Ｓ３０７のＮｏ）、通信路検査部２６は、データ回線５の回線状況を監視しており、送出制御部２３は、回線情報を端末装置４に通知している（Ｓ３０８）。
【００８４】
データ回線５の回線状況が悪化して端末装置４が指令回線６および制御回線７による表示データの転送を指令した場合（Ｓ３０９のＮｏ）、送出制御部２３は、表示データの伝送回線として指令回線６を選択する（Ｓ３０６）。
【００８５】
伝送する回線が選択されると、データ処理部２２は、データ記憶部２１から表示データを読み出してデータ処理を施す。送出制御部２３は、データ処理が施された表示データを指令通信部２４に渡す。その結果、表示データは指令回線６を通じて送信される（Ｓ３０５）。
【００８６】
一方、データ回線５の回線状況が改善して端末装置４がデータ回線５による表示データの伝送を指令した場合（Ｓ３０９のＹｅｓ）、送出制御部２３は、表示データの伝送回線としてデータ回線５を選択する（Ｓ３０４）。
【００８７】
伝送する回線が選択されると、データ処理部２２は、データ記憶部２１から表示データを読み出してデータ処理を施す。送出制御部２３は、データ処理が施された表示データをデータ通信部２５に渡す。その結果、表示データはデータ回線５を通じて送信される（Ｓ３０５）。
【００８８】
このように、この実施形態に係る表示システムにおけるサーバ装置３は、表示データを伝送するデータ回線を常に監視し、回線状況に応じて伝送回線を通常のデータ回線および制御用の指令回線のいずれかに切り換えるので、表示データを安定して伝送することができる。
【００８９】
次に、図６を参照して、この実施形態に係る表示システムにおける表示装置２の動作に付いて詳細に説明する。図６は、本実施形態に係る表示システム１における表示装置２の動作を示すフローチャートである。
【００９０】
制御通信部１２は、端末装置４から制御回線７を介して表示要求を受けると、表示データ受信の準備を行い、端末装置４に対し準備完了を通知する（Ｓ４０１）。
【００９１】
続いて、端末装置４から制御回線７を介して回線情報を受けると、制御通信部１２は、回線情報を経路制御部１３に渡す（Ｓ４０２）。
【００９２】
回線情報を受けた結果、表示データの伝送回線がデータ回線５である場合（Ｓ４０３のＹｅｓ）、経路制御部１３は、データ通信部１１に表示データ受信準備を指示するとともに、端末装置４に対し準備完了を通知する（Ｓ４０４）。
【００９３】
経路制御部１３は、データ通信部１１を通じてデータ回線５から表示データを受信して、データ処理部１４に渡す（Ｓ４０５）。
【００９４】
回線情報を受けた結果、表示データの伝送回線が制御回線７である場合（Ｓ４０３のＮｏ）、経路制御部１３は、制御通信部１２に表示データ受信準備を指示するとともに、端末装置４に対し準備完了を通知する（Ｓ４０６）。
【００９５】
経路制御部１３は、制御通信部１２を通じて制御回線７から表示データを受信して、データ処理部１４に渡す（Ｓ４０５）。
【００９６】
データ処理部１４は、渡された表示データを復調・復号等再変換を行い、表示データをデータ表示部１５に渡す。表示データを受けたデータ表示部１５は、表示データをスクリーン等に投影する（Ｓ４０７）。
【００９７】
全ての表示データを表示すると（Ｓ４０８のＹｅｓ）、処理を終了する。
【００９８】
継続して表示データを表示する場合に（Ｓ４０８のＮｏ）、制御通信部１２が回線を変更する指示を受け取らない場合（Ｓ４０９のＮｏ）、経路制御部１３は表示データを受信する回線を変更せず、データ通信部１１または制御通信部１２は表示データの受信を継続する（Ｓ４０９のＮｏ）。
【００９９】
制御通信部１２が回線を変更する指示を受け取った場合（Ｓ４０９のＹｅｓ・Ｓ４０２））、表示データの伝送回線がデータ回線５である場合（Ｓ４０３のＹｅｓ）、経路制御部１３は、データ通信部１１に表示データ受信準備を指示するとともに、端末装置４に対し準備完了を通知する（Ｓ４０４）。そして、経路制御部１３は、データ通信部１１を通じてデータ回線５から表示データを受信して、データ処理部１４に渡す（Ｓ４０５）。
【０１００】
表示データの伝送回線が制御回線７である場合（Ｓ４０３のＮｏ）、経路制御部１３は、制御通信部１２に表示データ受信準備を指示するとともに、端末装置４に対し準備完了を通知する（Ｓ４０６）。そして、経路制御部１３は、制御通信部１２を通じて制御回線７から表示データを受信して、データ処理部１４に渡す（Ｓ４０５）。
【０１０１】
このように、この実施形態に係る表示システムにおける表示装置２は、端末装置４を通じて送られる回線情報により表示データを受信する回線を選択するので、表示データを安定して受信することができる。
【０１０２】
続いて、図２および図７を参照して、本発明に係る表示システムの第２の実施形態について詳細に説明する。図７は、本発明に係る第２の実施形態の表示システムの全体動作を示すフローチャートである。
この実施形態に係る表示システムでは、サーバ装置３のデータ処理部２２は、表示データの変調・符号化等の機能に加えて、表示データを圧縮するとともに圧縮前の表示データと圧縮後の表示データとの差分データを生成する機能をも併せ持っている。同様に、表示装置２のデータ処理部１４は、圧縮後の表示データと差分データとから元のデータを復元する機能をも併せ持っている。
【０１０３】
ユーザが端末装置４の入力部３１に表示データの投影指示を入力すると、表示制御部３４は、制御通信部３５および制御回線７を通じて、表示装置２に対し表示データの表示要求を送信する（Ｓ５０１）。
【０１０４】
表示要求を受信した表示装置２は、表示データ受信の準備を行い、端末装置４に準備完了を通知する（Ｓ５１１）。
【０１０５】
表示装置２の準備が完了すると、端末装置４の指令制御部３２は、指令通信部３３および指令回線６を介して、サーバ装置３に対し表示データの送出指令を送信する（Ｓ５０２）。
【０１０６】
表示データの送出指令を受けると（Ｓ５２１）、送出制御部２３は、通信路検査部２６に対しデータ回線５の検査を指示し、通信路検査部２６は、データ回線５の回線状況を送出制御部２３に通知する。送出制御部２３は、回線状況を示す回線情報を指令通信部２４および指令回線６を通じて端末装置４に対し送信する（Ｓ５２２）。
【０１０７】
転送制御部３６は、回線情報を取得する（Ｓ５０３）。回線情報の内容が、データ回線５の回線状況が良好であることを示す場合、転送制御部３６は、制御通信部３５および制御回線７を通じてデータ回線５による表示データの伝送を表示装置２に通知する（Ｓ５０４）。また、転送制御部３６は、データ転送の準備を行う。
【０１０８】
伝送回線の指示を受信した経路制御部１３は、データ通信部１１に表示データの受信準備を指示して準備完了を制御回線７を通じて端末装置４に通知する（Ｓ５１２）。
【０１０９】
表示データの受信準備が整うと、転送制御部３６は、表示データの送出指令を指令通信部３３および指令回線６を通じてサーバ装置３に送信する（Ｓ５０５）。
【０１１０】
送出指令を受けると、データ処理部２２は、所定の表示データをデータ記憶部２１から読み出す（Ｓ５２３）。データを読み出すと、データ処理部２２は、表示データの圧縮を行う（Ｓ５２４）。併せて、データ処理部２２は、圧縮前の表示データと圧縮後の表示データとの差分を計算して差分データを生成する（Ｓ５２５）。圧縮された表示データおよび対応する差分データが生成されると、データ処理部２２は、圧縮された表示データおよび対応する差分データに互いの関連性を示す識別子を付与し（Ｓ５２６）、それぞれ変調・符号化処理を行う。
【０１１１】
送出制御部２３は、圧縮された表示データをデータ通信部２５に渡すとともに、対応する差分データを指令通信部２４に渡す。データ通信部２５は、受け取った圧縮表示データをデータ回線５を通じて表示装置２に対して送信する（Ｓ５２７）。一方、指令通信部２４は、受け取った差分データを指令回線６を通じて端末装置４に対して送信する（Ｓ５２８）。
【０１１２】
転送制御部３６は、指令制御部３２および表示制御部３４に対し差分データの転送を指示する。その結果、指令通信部３３で受信された差分データは、指令制御部３２、表示制御部３４、制御通信部３５および制御回線７を介して表示装置２に転送される（Ｓ５０６）。
【０１１３】
データ通信部１１は、データ回線５から受け取った表示データを経路制御部１３に渡す（Ｓ５１３）。また、制御通信部１２は、制御回線７から受け取った差分データを経路制御部１３に渡す（Ｓ５１４）。
【０１１４】
経路制御部１３は、受け取った表示データおよび差分データの識別子を照合して、表示データおよび対応する差分データをデータ処理部１４に渡す（Ｓ５１５）。
【０１１５】
データ処理部１４は、データ処理部２２と逆の手順により表示データおよび差分データを復調・復号する。そして、圧縮された表示データおよび対応する差分データから元の表示データを復元してデータ表示部１５に渡す（Ｓ５１６）。
【０１１６】
データ表示部１５は、受け取った表示データをスクリーン等に投影する（Ｓ５１７）。
このように、この実施形態に係る表示システムでは、サーバ装置を制御する指令回線を用いて表示データを圧縮する際に生ずる差分データを伝送するので、データ回線５の伝送帯域が十分でない場合やデータサイズが大きい場合でもデータ欠落を最小限にすることができる。
【０１１７】
なお、以上の説明では、データ回線を通じて圧縮された表示データを伝送し、指令回線を通じて差分データを伝送しているが、これには限定されない。例えば、この実施形態の変形例として、データ処理部２２において表示データについて、所定の規則に基づいて空間的に分割（複数領域に分割）し、送出制御部２３において所定の区分数毎にデータ回線と指令回線とに振り分けて伝送してもよい。このように構成することで、データ回線の帯域幅が十分でない場合でもデータ欠落を最小限にすることができる。
【０１１８】
さらに他の変形例として、表示データが動画像の場合に、データ処理部２２において表示データを所定の規則に基づいて時間的に分割し、送出制御部２３において所定の区分数毎にデータ回線と指令回線とに振り分けて伝送してもよい。
【０１１９】
また、他の変形例として、データ処理部２２において表示データを基準データと更新データとに分割し、送出制御部２３において基準データと更新データとをデータ回線と指令回線とに振り分けて伝送してもよい。この場合、更新データは比較的小さなサイズとなり、比較的狭帯域である指令回線でも速度遅延を生ずることなく伝送することが可能となる。すなわち、動きのある画像であっても速度遅延を最小限にすることができる。
【０１２０】
なお、本発明は上記実施形態のみに限定されるものではない。
図２にて説明した表示装置２、サーバ装置３および端末装置７の各機能構成は、コンピュータプログラムなどソフトウェアにより実現されてもよいし、電子回路などハードウェアにより実現されてもよい。
【０１２１】
上記した実施形態では、主としてサーバ装置３がデータ回線５の回線状況を監視し、当該回線状況を示す回線情報を受信した端末装置４が表示すべき表示データを伝送する回線を選択しているが、これには限定されない。すなわち、サーバ装置３において監視した回線状況に応じて表示すべき表示データの伝送回線を決定し、当該決定結果を受けて端末装置４および表示装置２が表示データの受信および転送の準備をするように構成してもよい。また、上記した実施形態では、表示データの転送決定を端末装置４またはサーバ装置３により行っているが、端末装置４においてユーザの指示に基づいて表示データの伝送経路を決定してもよい。
また、上記した実施形態ではサーバ装置３に格納された表示データを表示装置２に表示するものとして説明したが、これにも限定されない。例えば、サーバ装置３のディスプレイ等に表示された画面をキャプチャ等することにより得られた画像データを表示装置２に表示することとしてもよい。
【０１２２】
上記した実施形態では、表示データの伝送経路決定に当ってデータ回線５の回線状況を用いているが、この回線状況は、データ回線５の転送速度、パケット到達可能性など、効率的なデータ伝送の妨げになり得るパラメータを用いてもよい。
また、上記した実施形態では、指令回線６および制御回線７により表示データを転送する場合に、表示データをそのまま転送させているが、指令回線６および制御回線７の伝送帯域に応じてサーバ装置３において圧縮処理を行い、表示装置２により伸張処理を行ってもよい。
さらに、上記説明における表示装置２、サーバ装置３および端末装置４を実現するコンピュータは、記憶媒体に記憶されたプログラムに基づき、本実施形態における各処理を実行するものであって、パソコンなどの一つからなる装置、複数の装置がネットワーク接続されたシステムなどのいずれの構成であっても良い。
【０１２３】
また、コンピュータとは、パソコンに限らず、情報処理機器に含まれる演算処理装置、マイコンなども含み、プログラムによって本発明の機能を実現することが可能な機器、装置を総称している。
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【産業上の利用可能性】
【０１２４】
本発明は、電子機器製造業などに適用することができる。
【図面の簡単な説明】
【０１２５】
【図１】本発明の第１の実施形態の表示システムの全体構成を示す概略図である。
【図２】この実施形態に係る表示システムの機能構成を示す図である。
【図３】この実施形態に係る表示システムの全体の動作を示す図である。
【図４】この実施形態に係る表示システムにおける端末装置の動作を示すフローチャートである。
【図５】この実施形態に係る表示システムにおけるサーバ装置の動作を示すフローチャートである。
【図６】この実施形態に係る表示システムにおける表示装置の動作を示すフローチャートである。
【図７】本発明の第２の実施形態の表示システムの全体の動作を示すフローチャートである。
【符号の説明】
【０１２６】
１…表示システム、２…表示装置、３…サーバ装置、４…端末装置、５…データ回線、６…指令回線、７…制御回線、
１１…データ通信部、１２…制御通信部、１３…経路制御部、１４…データ処理部、１５…データ表示部、
２１…データ記憶部、２２…データ処理部、２３…送出制御部、２４…指令通信部、２５…データ通信部、２６…通信路検査部、
３１…入力部、３２…指令制御部、３３…指令通信部、３４…表示制御部、３５…制御通信部、３６…転送制御部。
【図１】
2006080922.tif 000003
【図２】
2006080922.tif 000004
【図３】
2006080922.tif 000005
【図４】
2006080922.tif 000006
【図５】
2006080922.tif 000007
【図６】
2006080922.tif 000008
【図７】
2006080922.tif 000009